(57)【要約】【課題】  受皿保持部と受皿とからなる液受皿体をポンプヘッドの頭部に被嵌させることにより、受皿保持部がポンプヘッドを被い、受皿が所定の位置に的確に保持できる安定性の優れた液体ポンプ用の液受皿体を提供すること。【解決手段】  液体ポンプ用の液受皿体として、ポンプヘッドに取着される液体ポンプ用の液受皿体であって、ポンプヘッド全体を被い、吐出ノズルを突出可能とした切欠け部を設け、頂壁と側周壁とからなる受皿保持部と、該受皿保持部の下端に連設され、吐出ノズルから吐出される液体を収容する受皿とを備えていることを特徴とする。【選択図】  図１
2007197063.tif 000002
【特許請求の範囲】
【請求項１】
ポンプヘッドに取着される液体ポンプ用の液受皿体であって、
ポンプヘッド全体を被い、吐出ノズルを突出可能とした切欠け部を設け、頂壁と側周壁とからなる受皿保持部と、該受皿保持部の下端に連設され、吐出ノズルから吐出される液体を収容する受皿とを備えていることを特徴とする液体ポンプ用の液受皿体。
【請求項２】
受皿保持部の頂壁が、ポンプヘッドの頭部を被う中央部と、外方に膨出する上壁とからなり、
上壁の周縁から側周壁を垂設したことを特徴とする請求項１記載の液受皿体。
【請求項３】
側周壁外周下端に、把持体を連設したことを特徴とする請求項１記載の液受皿体。
【発明の詳細な説明】
【技術分野】
【０００１】
本発明は、ポンプヘッドに被嵌させた液体ポンプ用の液受皿体に関するものである。
【背景技術】
【０００２】
液体ポンプ用の液受皿として、受皿をノズル下方のキャップに取着し、片手でノズルヘッドを操作し、ノズルから内容液を吐出させ、おなじ手のひらで受皿から内容液を取出し、塗布するようにした液受皿は、従来より知られている（例えば、特許文献１参照）。
【０００３】
また、吐出された内容液を収納する受皿体を、吐出ノズルの先端部に装着し、吐出ノズルから吐出された液を受皿内に吐出させるようにした液体ポンプ用の液受皿も従来より知られている（例えば、特許文献２、３参照）。
【特許文献１】実用新案登録第２５８７０８９号公報
【特許文献２】特開２００１−２４０１５５号公報
【特許文献３】特開２００５−２３９２４５号公報
【発明の開示】
【発明が解決しようとする課題】
【０００４】
しかしながら、特許文献１記載の受皿体は、ポンプの取付キャップにより装着されており、取付位置が正確でないとき、或いはポンプヘッドに対して吐出ノズルが廻動したときには、内容液が受皿の上に吐出されないという問題があった。
【０００５】
また、特許文献２、３記載の受皿体は、吐出ノズルの先端部に装着されているので、装着が確実でないとき、使用中の安定性が損なわれるというおそれがあった。
【０００６】
本発明は、上記問題を解決することを課題として、受皿保持部と受皿とからなる液受皿体をポンプヘッドの頭部に被嵌させることにより、受皿保持部がポンプヘッドを被い、受皿が所定の位置に的確に保持できる安定性の優れた液体ポンプ用の液受皿体を提供することを目的とする。
【課題を解決するための手段】
【０００７】
本発明は、上記の課題を解決するため、液体ポンプ用の液受皿体として、ポンプヘッドに取着される液体ポンプ用の液受皿体であって、ポンプヘッド全体を被い、吐出ノズルを突出可能とした切欠け部を設け、頂壁と側周壁とからなる受皿保持部と、該受皿保持部の下端に連設され、吐出ノズルから吐出される液体を収容する受皿とを備えていることを特徴とする構成を採用する。
【０００８】
液受皿体の着脱を容易にするための実施例として、受皿保持部の頂壁が、ポンプヘッドの頭部を被う中央部と、外方に膨出する上壁とからなり、上壁の周縁から側周壁を垂設したことを特徴とする構成、或いは、側周壁外周下端に、把持体を連設したことを特徴とする構成を採用する。
【発明の効果】
【０００９】
本発明の液体ポンプ用の液受皿体は、液体ポンプのポンプヘッドに、下端に受皿を連設した受皿保持部を被嵌させることにより、受皿を所定の位置に的確に保持できるとともに、安定性と操作性の優れたものとなった。
【００１０】
また、受皿保持部の側周壁内周下端にポンプヘッドの頭部下面と係合する突出部を設け、外周に頂壁の膨出部、または把持片を設けることによって、液受皿体の着脱が容易にできるようになった。
【発明を実施するための最良の形態】
【００１１】
次に、本発明の液体ポンプ用の液受皿体について実施例をあげ、図面を参照して説明する。
【実施例１】
【００１２】
図１〜３において、１は容器の口部に装着されたポンプヘッド、２はポンプヘッド１に被嵌取着された液受皿体である。
内容液として、化粧液、液体石鹸などが使用される。
【００１３】
ポンプヘッド１は、容器口部に取着されたポンプ機構のステム３に嵌合する筒部４と頭部５と吐出ノズル６とから構成されている。
【００１４】
液受皿体２は、ポンプヘッド１の頭部５全体を被い吐出ノズル６が突出可能な切欠け部７を有する受皿保持部８と、その下端から連設され、吐出ノズル６から吐出される液体を受容する受皿９とから構成されている。
【００１５】
受皿保持部８は、頭部５上面に接合する頂壁１０と、側周壁１１とを具えており、側周壁１１の内周下端には、頭部５の下面に係合する複数の突出部１２が設けられ、液受皿体２をポンプヘッド１の頭部５に確実に取着するようにしている。
【００１６】
受皿９は、受皿保持部８の切欠け部７の下端部から側方に突出するように連設され、ほぼ円形に形成され、中央部には、吐出ノズル６から吐出される内容液を受容するため、下方に膨出した凹部が形成されている。
【００１７】
次に、本実施例の液体ポンプ用の液受皿体の使用態様と作用効果について説明する。
液受皿体２の装着にあたっては、吐出ノズル６を切欠け部７から突出させるようにして、受皿保持部８をポンプヘッド１の頭部５に被せ、側周壁１１に設けた突出部１２をポンプヘッド１の頭部５下面に係合させるように取着する。
そのことによって、受皿９は、所定の位置に正確に位置づけられて保持され、吐出ノズル６を、受皿９の所定の位置に突出させることができる。
【００１８】
内容液の吐出は、液受皿体２の受皿保持部８の頂壁１０を上方から片手で押圧すると、ポンプ機構が作動し、吐出ノズル６を経て内容液が吐出され、受皿９に受けることができる。
その際、片手で操作できるので、他の作業をしながらでも内容液の吐出、使用が可能で、吐出された内容液は、確実に、受皿９の所定の位置に吐出される。
【００１９】
次いで、一定の内容液が吐出されると、受皿保持部８の押圧をやめ、内容液を手指に付着させ、所望する個所に塗布することができる。
【００２０】
内容液を使い終わったときには、液受皿体２をポンプヘッド１から取外し、新しい容器のポンプヘッドに取付けることができる。
その際、受皿保持部８の受皿９の反対側の側周壁１１下端を持ち上げ、吐出ノズル６を切欠け部７から抜くようにして外すと、液受皿体２を簡単に取外すことができ、取付けも前述のように簡単にできる。
【実施例２】
【００２１】
次に、受皿保持部の頂壁を拡張した第２実施例について説明する。
実施例１の構成と同一の部分は、同一の符号を付して図示し、以下相違点を中心に説明する。
【００２２】
図４に示すように、液受皿体２ａの受皿保持部８ａは、頂壁１０と側周壁１１とを具えており、頂壁１０は、ポンプヘッド１の頭部５を被う中央部１０ａと、側周壁１１から、さらに外方に膨出するように延びる上壁１５とからなっており、上壁１５の端縁には、側周壁１６が垂設されている。
【００２３】
次に、本実施例の作用効果について説明すると、ポンプヘッド１を押圧するとき、頂壁１０は、中央部１０ａと上壁１５とからなり、頂壁１０上面は広くなっているので、押圧操作は容易となっている。
【００２４】
また、液受皿体２ａのポンプヘッド１への着脱にあたって、側周壁１６先端部の下端を押上げることによって、突出部１２を頭部５下面から外し、簡単に取外すことができ、上方から押下げることによって、液受皿体２ａを簡単に取付けることができる。
【実施例３】
【００２５】
次に、第３実施例について説明する。
本実施例は、前記第１実施例において、受皿保持体の側周壁の外周下端に、把持片を取付けたものである。
図５に示すように、液受皿体２ｂの受皿保持部８ｂは、第１実施例と同一の頂壁１０と側周壁１１を具えており、側周壁１１には、受皿９の反対側に中央部に孔１７を穿孔した把持片１８が連設されている。
【００２６】
液受皿体２ｂのポンプヘッド１への着脱にあたって、手指で把持片１８を摘んで押下げることによって、突出部１２を頭部５下面に係合させて取着することができ、把持片１８を押上げることによって、突出部１２を頭部５下面から外し、液受皿体２ｂを取外すことができる。
【００２７】
上記実施例では、把持片として、中央部に孔１７を穿孔した把持片１８を用いたが、孔１７を穿孔していないものであってもよく、形状も手指で摘めるものであればよく、実施例に限定されない。
【００２８】
以上のように、本発明の液体ポンプ用の液受皿体は、ポンプヘッド全体に受皿保持部全体を覆って一体化しているので、ポンプを確実に作動させることができ、操作性と安定性に優れたものとなり、さらに、取付け、取外しも簡単であるので、使い勝手のよいものとなっている。
【産業上の利用可能性】
【００２９】
本発明の液体ポンプ用の液受皿体は、ポンプヘッドに受皿保持部を被嵌させることにより、受皿が所定の位置に的確に保持でき、操作性、安定性が優れたものであるので、幼児のためのシャンプーの塗布等、片手しか使えないような場合にも有効に利用できる。
【図面の簡単な説明】
【００３０】
【図１】本発明液体用ポンプの第１実施例の液受皿体の正面図である。
【図２】液受皿体の上面図である。
【図３】液受皿体の側面図である。
【図４】液受皿体の第２実施例の説明図で、（ａ）は上面図、（ｂ）は正面断面図である。
【図５】液受皿体の第３実施例の説明図で、（ａ）は上面図、（ｂ）は正面断面図である。
【符号の説明】
【００３１】
１      ポンプヘッド
２、２ａ、２ｂ  液受皿体
３      ステム
４      筒部
５      頭部
６      吐出ノズル
７      切欠け部
８、８ａ、８ｂ  受皿保持部
９      受皿
１０    頂壁
１０ａ  中央部
１１    側周壁
１２    突出部
１５    上壁
１６    側周壁
１７    孔
１８    把持片
【図１】
2007197063.tif 000003
【図２】
2007197063.tif 000004
【図３】
2007197063.tif 000005
【図４】
2007197063.tif 000006
【図５】
2007197063.tif 000007